【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
少なくとも１つのダイバーシティアンテナからアップリンク信号を送信するために、送信信号経路を確立することと、前記少なくとも１つのダイバーシティアンテナからダウンリンクダイバーシティ信号を受信するために、受信信号経路を確立することとを行うように構成された少なくとも１つの単入力多出力スイッチと、
少なくとも３つのダイバーシティバンド信号を生成するために、前記ダウンリンクダイバーシティ信号をフィルタするように構成されたバンド選択フィルタと、
前記少なくとも１つの単入力多出力スイッチに前記バンド選択フィルタのうちの少なくとも１つを介して結合され、かつトランシーバに出力される少なくとも３つの増幅されたダイバーシティバンド信号を生成するために、前記少なくとも３つのダイバーシティバンド信号を増幅するように構成された多重増幅器と
を備える装置。
【請求項２】
前記送信信号経路が、アップリンク時分割複信（ＴＤＤ）信号を送信するように構成され、前記バンド選択フィルタが、少なくとも３つのダウンリンク周波数分割複信（ＦＤＤ）ダイバーシティバンド信号を生成するために、前記受信されたダウンリンクダイバーシティ信号をフィルタするように構成された、請求項１に記載の装置。
【請求項３】
前記アップリンクＴＤＤ信号が、ハイバンドグループ中に存在し、前記少なくとも３つのダウンリンクＦＤＤダイバーシティバンド信号が、ローバンドグループおよびミッドバンドグループのうちの少なくとも１つ中に存在する、請求項２に記載の装置。
【請求項４】
前記多重増幅器が、前記少なくとも３つのダウンリンクＦＤＤダイバーシティバンド信号の増幅されたバージョンを生成するために、前記少なくとも３つのダウンリンクＦＤＤダイバーシティバンド信号を増幅し、前記ミッドバンドグループ中にある、前記少なくとも３つのダウンリンクＦＤＤダイバーシティバンド信号の前記増幅されたバージョンが、前記トランシーバに出力される、請求項３に記載の装置。
【請求項５】
前記送信信号経路が、アップリンクＦＤＤ信号を送信するように構成され、前記バンド選択フィルタが、４つのダウンリンクダイバーシティバンド信号を生成するために、前記受信されたダイバーシティ信号をフィルタするように構成された、請求項１に記載の装置。
【請求項６】
前記アップリンクＦＤＤ信号が、ミッドバンドグループ中に存在し、第１および第２のダウンリンクダイバーシティバンド信号が、ハイバンド中に存在するＴＤＤ信号を備え、第３および第４のダウンリンクダイバーシティバンド信号が、ローバンドおよびミッドバンドのうちの少なくとも１つ中に存在するＦＤＤ信号を備える、請求項５に記載の装置。
【請求項７】
前記多重増幅器が、前記４つのダウンリンクダイバーシティバンド信号の増幅されたバージョンを生成するために、前記４つのダウンリンクダイバーシティバンド信号を増幅し、前記ハイバンドおよび前記ミッドバンド中にある、前記４つのダウンリンクダイバーシティバンド信号の前記増幅されたバージョンが、前記トランシーバに出力される、請求項６に記載の装置。
【請求項８】
前記多重増幅器が、前記ダイバーシティバンド信号を受信し、前記増幅されたダイバーシティバンド信号を生成するために前記ダイバーシティバンド信号を選択的に増幅する、複数の増幅器を備え、各増幅器が、その増幅器から出力された前記増幅されたダイバーシティバンド信号の周波数バンドに基づいて前記多重増幅器の出力ポートに接続された出力を有する、請求項１に記載の装置。
【請求項９】
前記出力ポートが、ミッドバンドおよびハイバンド中にある増幅されたダイバーシティバンド信号を出力するための第１の出力ポートと、ミッドバンドおよびハイバンド中にある前記増幅されたダイバーシティバンド信号の第２の部分を出力するための第２の出力ポートと、ハイバンドおよびウルトラハイバンド中にある前記増幅されたダイバーシティバンド信号の第３の部分を出力するための第３の出力ポートと、ハイバンドおよびウルトラハイバンド中にある前記増幅されたダイバーシティバンド信号の第４の部分を出力するための第４の出力ポートとを備える、請求項８に記載の装置。
【請求項１０】
前記第１の出力ポート、前記第２の出力ポート、前記第３の出力ポート、および前記第４の出力ポートのうちの少なくとも１つが、前記トランシーバに直接接続された、請求項９に記載の装置。
【請求項１１】
前記第１の出力ポート、前記第２の出力ポート、前記第３の出力ポート、および前記第４の出力ポートのうちの少なくとも１つが、選択された増幅されたダイバーシティバンド信号を前記トランシーバに出力する少なくとも１つの中間構成要素に接続された、請求項９に記載の装置。
【請求項１２】
前記受信されたダイバーシティ信号を前記バンド選択フィルタのうちの１つまたは複数に選択的に出力するために、前記少なくとも１つの単入力多出力スイッチを制御するように構成された第１のコントローラをさらに備える、請求項１に記載の装置。
【請求項１３】
第１の出力ポート、第２の出力ポート、第３の出力ポート、および第４の出力ポートから選択された増幅されたダイバーシティバンド信号を出力するために、前記多重増幅器を制御するように構成された第２のコントローラをさらに備える、請求項８に記載の装置。
【請求項１４】
前記装置が、前記増幅器ダイバーシティバンド信号を前記トランシーバにルーティングするために、ワイヤレスデバイスのフロントエンドにおいて構成された、請求項１に記載の装置。
【手続補正２】
【補正対象書類名】明細書
【補正対象項目名】００８５
【補正方法】変更
【補正の内容】
【００８５】
[0090]  本開示についての以上の説明は、いかなる当業者も本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］  少なくとも１つのダイバーシティアンテナからアップリンク信号を送信するために、送信信号経路を確立することと、前記少なくとも１つのダイバーシティアンテナからダウンリンクダイバーシティ信号を受信するために、受信信号経路を確立することとを行うように構成された少なくとも１つのスイッチと、
少なくとも３つのダイバーシティバンド信号を生成するために、前記ダウンリンクダイバーシティ信号をフィルタするように構成されたバンド選択フィルタと、
トランシーバに出力される少なくとも３つの増幅されたダイバーシティバンド信号を生成するために、前記ダイバーシティバンド信号を増幅するように構成された多重増幅器と
を備える装置。
［Ｃ２］  前記送信信号経路が、アップリンク時分割複信（ＴＤＤ）信号を送信するように構成され、前記バンド選択フィルタが、少なくとも３つのダウンリンク周波数分割複信（ＦＤＤ）ダイバーシティバンド信号を生成するために、前記受信されたダウンリンクダイバーシティ信号をフィルタするように構成された、Ｃ１に記載の装置。
［Ｃ３］  前記アップリンクＴＤＤ信号が、ハイバンドグループ中に存在し、前記少なくとも３つのダウンリンクＦＤＤダイバーシティバンド信号が、ローバンドグループおよびミッドバンドグループのうちの少なくとも１つ中に存在する、Ｃ２に記載の装置。
［Ｃ４］  前記多重増幅器が、前記少なくとも３つのダウンリンクＦＤＤダイバーシティバンド信号の増幅されたバージョンを生成するために、前記少なくとも３つのダウンリンクＦＤＤダイバーシティバンド信号を増幅し、前記ミッドバンドグループ中にある、前記少なくとも３つのダウンリンクＦＤＤダイバーシティバンド信号の前記増幅されたバージョンが、前記トランシーバに出力される、Ｃ３に記載の装置。
［Ｃ５］  前記送信信号経路が、アップリンクＦＤＤ信号を送信するように構成され、前記バンド選択フィルタが、４つのダウンリンクダイバーシティバンド信号を生成するために、前記受信されたダイバーシティ信号をフィルタするように構成された、Ｃ１に記載の装置。
［Ｃ６］  前記アップリンクＦＤＤ信号が、ミッドバンドグループ中に存在し、第１および第２のダウンリンクダイバーシティバンド信号が、ハイバンド中に存在するＴＤＤ信号を備え、第３および第４のダウンリンクダイバーシティバンド信号が、ローバンドおよびミッドバンドのうちの少なくとも１つ中に存在するＦＤＤ信号を備える、Ｃ５に記載の装置。
［Ｃ７］  前記多重増幅器が、前記４つのダウンリンクダイバーシティバンド信号の増幅されたバージョンを生成するために、前記４つのダウンリンクダイバーシティバンド信号を増幅し、前記ハイバンドおよび前記ミッドバンド中にある、前記４つのダウンリンクダイバーシティバンド信号の前記増幅されたバージョンが、前記トランシーバに出力される、Ｃ６に記載の装置。
［Ｃ８］  前記多重増幅器が、前記ダイバーシティバンド信号を受信し、前記増幅されたダイバーシティバンド信号を生成するために前記ダイバーシティバンド信号を選択的に増幅する、複数の増幅器を備え、各増幅器が、その増幅器から出力された前記増幅されたダイバーシティバンド信号の周波数バンドに基づいて前記多重増幅器の出力ポートに接続された出力を有する、Ｃ１に記載の装置。
［Ｃ９］  前記出力ポートが、ミッドバンドおよびハイバンド中にある増幅されたダイバーシティバンド信号を出力するための第１の出力ポートと、ミッドバンドおよびハイバンド中にある前記増幅されたダイバーシティバンド信号の第２の部分を出力するための第２の出力ポートと、ハイバンドおよびウルトラハイバンド中にある前記増幅されたダイバーシティバンド信号の第３の部分を出力するための第３の出力ポートと、ハイバンドおよびウルトラハイバンド中にある前記増幅されたダイバーシティバンド信号の第４の部分を出力するための第４の出力ポートとを備える、Ｃ８に記載の装置。
［Ｃ１０］  前記第１の出力ポート、前記第２の出力ポート、前記第３の出力ポート、および前記第４の出力ポートのうちの少なくとも１つが、前記トランシーバに直接接続された、Ｃ９に記載の装置。
［Ｃ１１］  前記第１の出力ポート、前記第２の出力ポート、前記第３の出力ポート、および前記第４の出力ポートのうちの少なくとも１つが、選択された増幅されたダイバーシティバンド信号を前記トランシーバに出力する少なくとも１つの中間構成要素に接続された、Ｃ９に記載の装置。
［Ｃ１２］  前記受信されたダイバーシティ信号を前記バンド選択フィルタのうちの１つまたは複数に選択的に出力するために、前記少なくとも１つのスイッチを制御するように構成された第１のコントローラをさらに備える、Ｃ１に記載の装置。
［Ｃ１３］  第１の出力ポート、第２の出力ポート、第３の出力ポート、および第４の出力ポートから選択された増幅されたダイバーシティバンド信号を出力するために、前記多重増幅器を制御するように構成されたコントローラをさらに備える、Ｃ８に記載の装置。
［Ｃ１４］  前記装置が、前記増幅器ダイバーシティバンド信号を前記トランシーバにルーティングするために、ワイヤレスデバイスのフロントエンドにおいて構成された、Ｃ１に記載の装置。
［Ｃ１５］  少なくとも１つのダイバーシティアンテナからアップリンク信号を送信するために、送信信号経路を確立するように構成され、前記少なくとも１つのダイバーシティアンテナからダウンリンクダイバーシティ信号を受信するために、受信信号経路を確立するように構成されたスイッチングのための手段と、
少なくとも３つのダイバーシティバンド信号を生成するために、前記ダウンリンクダイバーシティ信号をフィルタするように構成された、バンド選択のための手段と、
トランシーバに出力される少なくとも３つの増幅されたダイバーシティバンド信号を生成するために、前記ダイバーシティバンド信号を増幅するように構成された増幅するための手段と
を備える、装置。
［Ｃ１６］  前記送信信号経路が、前記少なくとも１つのダイバーシティアンテナからアップリンク時分割複信（ＴＤＤ）信号を送信するように構成され、バンド選択のための前記手段が、増幅するための前記手段に入力される少なくとも３つのダウンリンク周波数分割複信（ＦＤＤ）ダイバーシティバンド信号を生成するために、前記ダウンリンクダイバーシティ信号をフィルタするように構成された、Ｃ１５に記載の装置。
［Ｃ１７］  前記アップリンクＴＤＤ信号が、ハイバンドグループ中に存在し、前記少なくとも３つのダウンリンクＦＤＤダイバーシティバンド信号が、ローバンドグループおよびミッドバンドグループのうちの少なくとも１つ中に存在する、Ｃ１６に記載の装置。
［Ｃ１８］  増幅するための前記手段が、前記少なくとも３つのダウンリンクＦＤＤダイバーシティバンド信号の増幅されたバージョンを生成するために、前記少なくとも３つのダウンリンクＦＤＤダイバーシティバンド信号を増幅し、前記ミッドバンドグループ中の前記増幅されたダイバーシティバンド信号が、前記トランシーバに出力される、Ｃ１７に記載の装置。
［Ｃ１９］  前記送信信号経路が、前記少なくとも１つのダイバーシティアンテナにミッドバンドアップリンクＦＤＤ信号を送信するように構成され、バンド選択のための前記手段が、ハイバンド中に存在するＴＤＤ信号を備える第１および第２のダウンリンクダイバーシティバンド信号と、ローバンドおよびミッドバンドのうちの少なくとも１つ中に存在するＦＤＤ信号を備える第３および第４のダウンリンクダイバーシティバンド信号とを生成するために、前記ダウンリンクダイバーシティ信号をフィルタするように構成された、Ｃ１５に記載の装置。
［Ｃ２０］  増幅するための前記手段が、前記４つのダウンリンクダイバーシティバンド信号の増幅されたバージョンを生成するために、前記４つのダウンリンクダイバーシティバンド信号を増幅し、前記ハイバンドおよび前記ミッドバンド中にある、前記４つのダウンリンクダイバーシティバンド信号の前記増幅されたバージョンが、前記トランシーバに出力される、Ｃ１９に記載の装置。